(57)【要約】【課題】本発明は、再送信処理を適切に行って、相手先に与える迷惑を軽減しつつ利用性を向上させるファクシミリ装置に関する。【解決手段】ファクシミリ装置１は、ファクシミリ送信が不達に終了した後の当該相手先端末への自動再送信機能による再送信動作において、音声応答部１１から相手先端末にファクシミリ番号の入力を依頼する旨の音声メッセージを送出し、当該相手先端末からＤＴＭＦ信号を受信すると、当該再送信動作を一旦終了した後、当該ＤＴＭＦ信号で指定されているファクシミリ番号宛に再送信処理を行う。したがって、操作部２から電話機の番号等が誤ってファクシミリ番号として入力された場合にも、再送信動作において正確なファクシミリ番号先に自動変更して、再送信を行うことができる。【選択図】          図１
2006217414.tif 000002
【特許請求の範囲】
【請求項１】
発呼した相手先へのファクシミリ通信が不達に終了した場合、当該相手先に所定間隔で所定回数再送信動作を行う自動再送信機能を備えたファクシミリ装置において、相手先端末にファクシミリ番号の入力を依頼する旨の音声メッセージを送出する音声送出手段と、相手先端末からのＤＴＭＦ信号を受信するＤＴＭＦ受信手段と、ファクシミリ送信が不達に終了した後の当該相手先端末への前記自動再送信機能による再送信動作において、前記音声送出手段から前記音声メッセージを当該相手先端末に送出し、前記ＤＴＭＦ受信手段が当該相手先端末から前記ＤＴＭＦ信号を受信すると、当該再送信動作を一旦終了した後、当該ＤＴＭＦ信号で指定されているファクシミリ番号宛に再送信処理を行う制御手段と、を備えていることを特徴とするファクシミリ装置。
【請求項２】
前記制御手段は、前記相手先端末から送られてきた前記ＤＴＭＦ信号による番号がファクシミリ番号として有効か否かを判別し、ファクシミリ番号として有効である場合にのみ、当該ＤＴＭＦ信号で指定されているファクシミリ番号宛に再送信処理を行うことを特徴とする請求項１記載のファクシミリ装置。
【請求項３】
前記制御手段は、前記相手先端末から送られてきた前記ＤＴＭＦ信号による番号を、報知手段で報知出力することを特徴とする請求項１または請求項２記載のファクシミリ装置。
【請求項４】
発呼した相手先へのファクシミリ通信が不達に終了した場合、当該相手先に所定間隔で所定回数再送信動作を行う自動再送信機能を備えたファクシミリ装置において、相手先端末にファクシミリ番号の入力を依頼する旨の音声メッセージを送出する音声送出手段と、相手先端末からのＤＴＭＦ信号を受信するＤＴＭＦ受信手段と、ファクシミリ送信が不達に終了した後の当該相手先端末への前記自動再送信機能による再送信動作において、前記音声送出手段から前記音声メッセージを当該相手先端末に送出し、前記ＤＴＭＦ受信手段が当該相手先端末から前記ＤＴＭＦ信号を受信すると、当該再送信動作を一旦終了し、当該ＤＴＭＦ信号による番号を、報知手段に報知出力させる制御手段と、を備えていることを特徴とするファクシミリ装置。
【請求項５】
前記報知手段は、前記ＤＴＭＦ信号による番号を用紙に記録出力する記録出力手段であることを特徴とする請求項３または請求項４記載のファクシミリ装置。
【発明の詳細な説明】
【技術分野】
【０００１】
本発明は、ファクシミリ装置に関し、詳細には、再送信処理を適切に行わせて、相手先に与える迷惑を軽減しつつ、利用性を向上させるファクシミリ装置に関する。
【背景技術】
【０００２】
ファクシミリ通信においては、送信側ファクシミリ装置で、利用者が相手先（受信側）ファクシミリ装置のファクシミリ番号をテンキーやワンタッチキーの押下操作を行ってダイヤルし、相手先ファクシミリ装置との通信回線の接続を交換機を介して行って、ファクシミリ通信を行っている。また、ファクシミリ装置は、自動再送信機能を備えており、相手先ファクシミリ装置とのファクシミリ通信が正常に終了しなかった場合、自動再送信機能によって、予め設定された間隔を空けて、予め設定された回数だけ、再発呼して、再送信動作を自動で行う。
【０００３】
ところが、相手先ファクシミリ番号を入力操作する場合に、例えば、名刺等を見ながらファクシミリ番号を入力操作して、ファクシミリ番号ではなく、電話番号を入力してしまい、電話機に対して発呼してファクシミリ送信処理を行ってしまうことがある。
【０００４】
この場合、送信側ファクシミリ装置は、相手先が電話機であるため、相手先ファクシミリ装置からの受信状態になったことを送信側ファクシミリ装置へ知らせるファクシミリ信号（ＣＥＤ：CalledStationIdentification）を受けることができず、発信していることを相手先ファクシミリ装置に知らせるファクシミリ信号（ＣＮＧ：CallingTone）を出し続けることとなる。このとき、送信側ファクシミリ装置は、相手先端末（この場合、電話機）の回線断（オンフック）によって送信動作を停止するものの、自動再送信機能によって特定の回数の自動再送信動作を繰り返し行うため、相手先端末の利用者にとって迷惑である。
【０００５】
一方、送信側ファクシミリ装置の利用者にとっては、自動再送信機能による自動再送信回数を超えない限り、エラーレポート等が出力されないため、ファクシミリ番号を間違えたことを知るのに時間がかかるだけでなく、正しいファクシミリ番号を調べてファクシミリ番号をダイヤルしファクシミリ送信をやり直すのに手間がかかる。
【０００６】
そこで、本出願人は、先に、発呼時、相手端末から所定のファクシミリ信号を受信できずに再発信する場合、音声応答手段から送信中止手順を通知する音声メッセージを発生して、相手端末へ送出し、相手端末より所定の送信中止手順信号を受信した場合には、送信動作を中止するファクシミリ装置を提案している（特許文献１参照）。
【０００７】
また、従来、自動ダイヤル機能と回線信号検出機能と再ダイヤル機能を備えた通信端末装置において、所定相手先に自動ダイヤルした後、プッシュトーン信号を検出すると、再ダイヤルを禁止する通信端末装置が提案されている（特許文献２参照）。
【０００８】
【特許文献１】特開２００２−３１４７７５号公報
【特許文献２】特開平１０−３１３３５４号公報
【発明の開示】
【発明が解決しようとする課題】
【０００９】
しかしながら、上記従来技術にあっては、誤ったダイヤル操作による誤送信を速やかに中止することはできるが、正しい送信先にファクシミリ送信をやり直すには、送信側ファクシミリ装置の利用者が再度ダイヤル操作を行う必要があり、利用性が悪いという問題があるとともに、送信側ファクシミリ装置の利用者は、送信が中止になった理由を正確に理解するのに時間がかかるという問題があった。
【００１０】
そこで、本発明は、誤ったファクシミリ番号が入力された場合にも再送信動作において、正確なファクシミリ番号先に自動変更して、再送信を行い、相手先側の手間を省きつつ、相手先に与える迷惑を削減するとともに、利用性を向上させたファクシミリ装置を提供することを目的としている。
【課題を解決するための手段】
【００１１】
請求項１記載の発明のファクシミリ装置は、発呼した相手先へのファクシミリ通信が不達に終了した場合、当該相手先に所定間隔で所定回数再送信動作を行う自動再送信機能を備えたファクシミリ装置において、相手先端末にファクシミリ番号の入力を依頼する旨の音声メッセージを送出する音声送出手段と、相手先端末からのＤＴＭＦ信号を受信するＤＴＭＦ受信手段と、ファクシミリ送信が不達に終了した後の当該相手先端末への前記自動再送信機能による再送信動作において、前記音声送出手段から前記音声メッセージを当該相手先端末に送出し、前記ＤＴＭＦ受信手段が当該相手先端末から前記ＤＴＭＦ信号を受信すると、当該再送信動作を一旦終了した後、当該ＤＴＭＦ信号で指定されているファクシミリ番号宛に再送信処理を行う制御手段と、を備えていることにより、上記目的を達成している。
【００１２】
この場合、例えば、請求項２に記載するように、前記制御手段は、前記相手先端末から送られてきた前記ＤＴＭＦ信号による番号がファクシミリ番号として有効か否かを判別し、ファクシミリ番号として有効である場合にのみ、当該ＤＴＭＦ信号で指定されているファクシミリ番号宛に再送信処理を行うものであってもよい。
【００１３】
また、例えば、請求項３に記載するように、前記制御手段は、前記相手先端末から送られてきた前記ＤＴＭＦ信号による番号を、報知手段で報知出力してもよい。
【００１４】
請求項４記載の発明のファクシミリ装置は、発呼した相手先へのファクシミリ通信が不達に終了した場合、当該相手先に所定間隔で所定回数再送信動作を行う自動再送信機能を備えたファクシミリ装置において、相手先端末にファクシミリ番号の入力を依頼する旨の音声メッセージを送出する音声送出手段と、相手先端末からのＤＴＭＦ信号を受信するＤＴＭＦ受信手段と、ファクシミリ送信が不達に終了した後の当該相手先端末への前記自動再送信機能による再送信動作において、前記音声送出手段から前記音声メッセージを当該相手先端末に送出し、前記ＤＴＭＦ受信手段が当該相手先端末から前記ＤＴＭＦ信号を受信すると、当該再送信動作を一旦終了し、当該ＤＴＭＦ信号による番号を、報知手段に報知出力させる制御手段と、を備えていることにより、上記目的を達成している。
【００１５】
請求項３及び請求項４の場合に、例えば、請求項５に記載するように、前記報知手段は、前記ＤＴＭＦ信号による番号を用紙に記録出力する記録出力手段であってもよい。
【発明の効果】
【００１６】
本発明のファクシミリ装置によれば、ファクシミリ送信が不達に終了した後の当該相手先端末への自動再送信機能による再送信動作において、当該相手先端末にファクシミリ番号の入力を依頼する旨の音声メッセージを送出し、当該相手先端末からＤＴＭＦ信号を受信すると、当該再送信動作を一旦終了した後、当該ＤＴＭＦ信号で指定されているファクシミリ番号宛に再送信処理を行うので、誤ったファクシミリ番号が入力された場合にも再送信動作において、正確なファクシミリ番号先に自動変更して、再送信を行うことができ、相手先側の手間を省きつつ、相手先に与える迷惑を削減することができるとともに、利用性を向上させることができる。
【発明を実施するための最良の形態】
【００１７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１８】
図１〜図４は、本発明のファクシミリ装置の第１実施例を示す図であり、図１は、本発明のファクシミリ装置の第１実施例を適用したファクシミリ装置１のブロック構成図である。
【００１９】
図１において、ファクシミリ装置１は、操作部２、表示・通知部３、システム制御部４、画像処理部５、読取部６、通信制御部７、ＮＣＵ（Network Control Unit）部８、画像メモリ９、Ｇ４通信制御部１０、音声応答部１１及び書込部１２等を備えており、上記主要各部は、システムバス１３に接続されている。
【００２０】
操作部２は、メカニカルキーやタッチパネルキーで構成されたテンキーやスタートキー及びファンクションキー等の各種操作キーを備え、システム制御部４との間でコマンドの授受を行って、操作部２でのキー操作内容をシステム制御部４に渡す。
【００２１】
表示・通知部３は、ＬＣＤ（Liquid Crystal Display）やＬＥＤ（Light Emitting Diode）等の表示部及びブザー等の音声出力部等を備え、システム制御部４の制御下で、操作部２から入力された命令内容やファクシミリ装置１からオペレータに通知する各種情報及びファクシミリ装置１の動作状態等を表示出力、点灯出力及び音声出力する。
【００２２】
システム制御部（制御手段）４は、ＣＰＵ(Central Processing Unit)、ＲＯＭ(Read Only Memory)およびＲＡＭ(Randam Access Memory)等を有し、ＲＯＭ内にはファクシミリ装置１としての基本制御プログラムや後述する本発明の再送信制御処理プログラム及び当該各プログラムを実行するのに必要な各種データが格納されている。システム制御部４は、ＣＰＵがＲＯＭ内のプログラムに基づいて、ＲＡＭをワークメモリとして利用しつつ、ファクシミリ装置１の各部を制御し、各種動作を制御する。なお、ファクシミリ装置１は、プログラムが膨大になる場合には、ＲＯＭの他に磁気ディスク装置等のメモリ装置を搭載して、当該メモリ装置にプログラムを格納してもよいし、画像メモリ９として磁気ディスク装置を用いる場合には、画像メモリ９をプログラム格納用と画像データ格納用とに共通して利用してもよい。
【００２３】
また、システム制御部４は、現在時刻を計時する時計機構や画像メモリ９に蓄積する画像データをファイル管理するファイル管理機能を有している。
【００２４】
さらに、システム制御部４は、そのＲＯＭにキャラクタ情報を格納するキャラクタ領域を有し、そのＲＡＭは、停電やファクシミリ装置１の電源がオフされているときにも、その記憶内容を保持するように、バッテリーバックアップされている。
【００２５】
画像処理部５は、画像データの画像メモリ９への蓄積の効率化や伝送時間の短縮化を図るために、所定の符号化方式に従って画像データを符号化し、また、符号化された画像データを復号化するとともに、画像データのフォーマット変換、変倍処理、生データでの画像データの加工及びＴＴＩ（Transmitter Terminal Identification)の埋め込み等を行う。なお、本実施例においては、画像処理部５をシステムバス１３に接続された１つのブロックとしているが、通信制御部７、Ｇ４通信制御部１０、読取部６及び書込部１２にそれぞれ独立して有していてもよい。
【００２６】
ＮＣＵ部８は、回線Ｌ、例えば、一般公衆網（ＰＳＴＮ）や自営構内回線の網に接続され、回線Ｌの閉結や呼出信号（リンギング）、トーン信号、ＤＴＭＦ（Dial Tone Multi Frequency）信号の検出を行う。
【００２７】
通信制御部７は、ＮＣＵ部８を制御して、加入電話回線／自営構内回線の網と接続し、呼出信号の送出制御、ファクシミリ装置１のフック状態の検出を行って、相手側通信端末との通信の制御を行う。また、通信制御部７は、モデムを有しており、相手側通信端末から受信した変調されている受信データを復調したり、逆に、送信時の送信画像データを変調して送信したりする。さらに、通信制御部７は、ＮＣＵ部８で検出されたリンギング電圧のパルスの検出やＤＴＭＦ信号の検出、トーン信号の検出の制御及び送信時のダイヤルとしてＤＴＭＦ送出等を行う。上記通信制御部７とＮＣＵ部８は、全体として、ＤＴＭＦ受信手段として機能している。
【００２８】
画像メモリ９としては、例えば、大容量の磁気ディスク装置等の読み／書き可能なメモリが利用され、画像メモリ９は、受信した複数の受信画像データ、送信する複数の送信画像データをファイルとして蓄積する。画像メモリ９は、磁気ディスク装置に限定されるものではなく、基板に実装されるＳＲＡＭモジュールやカードスロットに挿入されるメモリカード等を利用してもよい。
【００２９】
Ｇ４通信制御部１０は、ＩＮＳネット６４／デジタル交換内線の網と接続し、相手側通信端末との通信の制御を行う。Ｇ４通信制御部１０は、ＬＡＰＤ（Link Access Procedure on the D-channel：Ｄチャネル用リンク・アクセス手順）、ＬＡＰＢ（Link Access Procedure Balanced：平衡型リンク・アクセス手順）コントローラを有し、制御を行う。
【００３０】
音声応答部（音声送出手段））１１は、種々の音声メッセージ、特に、後述する再送信制御処理で相手先に送出するファクシミリ番号のプッシュダイヤルによる送信を依頼する旨の音声応答メッセージやファクシミリ装置１の利用者が任意に録音した音声メッセージ等が格納されているメモリやこのメモリ内の音声メッセージを再生出力するための回路等を備えており、システム制御部４は、音声応答部１１の再生した音声メッセージをシステムバス１３、通信制御部７及びＮＣＵ部８を介して網側に送出して、相手先に送出する。
【００３１】
読取部（記録出力手段））６としては、例えば、ＣＣＤ(Charge Coupled Device )を用いたイメージスキャナが利用されており、読取部１１は、原稿を走査して原稿のイメージを所定の解像度で読み取る。読取部１１は、読み取ったイメージを２値化して生データとし、原稿読取時の縮小、拡大等の変倍、線密度変換等をも行う。
【００３２】
書込部１２は、例えば、サーマル素子を利用したサーマル記録装置が用いられており、書込部１２のページメモリに蓄積された生データを受け取って、感熱記録紙に直接、あるいは、普通記録紙にインクシートを介して間接的に画像を記録する。なお、書込部１２としては、サーマル記録装置に限るものではなく、例えば、電子写真方式、インクジェット方式、トナージェット方式等の記録紙にイメージを記録できる記録装置であれば、適宜用いることができる。また、書込部１２は、ページメモリを有し、システム制御部４で書き込み指定された画像メモリ９内の画像ファイルをページ毎にこのページメモリに蓄積して、順次ページメモリから読み出して、書込部１２のエンジン部に転送する。さらに、書込部１２は、圧縮された画像データの伸張処理を行う画像処理機能を備えていてもよく、この場合には、受け取る画像データは、圧縮データとなり、書込部１２で伸張して生データとして印刷出力する。
【００３３】
次に、本実施例の作用を説明する。本実施例のファクシミリ装置１は、電話機等への誤送信動作を行った場合に、正確なファクシミリ番号先への再送信を自動的に行う。
【００３４】
まず、最初の送信動作について、図２に基づいて説明する。ファクシミリ装置１は、読取部６に原稿がセットされ、操作部２でテンキーまたは予め登録されたワンタッチキーや短縮キーを用いて送信相手先のファクシミリ番号が入力され（ステップＳ１０１）、操作部２で、スタートキーが押下されると（ステップＳ１０２）、ファクシミリ送信の準備を開始する。
【００３５】
すなわち、ファクシミリ装置１は、読取部６にセットされたファクシミリ送信原稿を読取部６に読み取らせ、読み取られた画像データを画像メモリ９に蓄積して、蓄積した送信原稿をファイルとしてシステム制御部４で管理できる状態にする。
【００３６】
ファクシミリ装置１は、ファクシミリ送信のための処理として、通信制御部７、ＮＣＵ部８を用いて接続する網に対して回線を閉結し相手先ファクシミリ番号をＤＴＭＦ信号やダイヤルパルスにて発呼し、その後、ＣＮＧ（Calling Tone）信号を送出する（ステップＳ１０３）。
【００３７】
この後、ファクシミリ装置１は、ファクシミリ送信処理でＣＮＧ信号を送出しながら、相手先端末からのＣＥＤ（Called Station Identification）信号が送られてくるかを一定時間検出し（ステップＳ１０４、Ｓ１０５）、一定時間内に相手先端末からＣＥＤ信号が送られてくると、ＣＥＤ信号に続くファクシミリ通信手順処理を実行して、ファクシミリ通信を実施する（ステップＳ１０６）。
【００３８】
その後、ファクシミリ装置１は、ファクシミリ通信が正常終了したかチェックし（ステップＳ１０７）、正常終了すると、ファクシミリ通信処理を終了する。
【００３９】
ステップＳ１０７で、ファクシミリ通信が正常終了しないとき（不達に終了したとき）には、ファクシミリ装置１は、相手先端末とファクシミリ通信は行えたが、何らかの異常（例えば、電話線が抜けたり、メモリが一杯になった等の異常）でファクシミリ通信が正常終了しなかっただけであるため、相手先端末はファクシミリ装置であるという「ファクシミリ通信可」のフラグを画像メモリ９に蓄積するファクシミリ送信原稿のファイルに付加し、ファクシミリ通信を終了する（ステップＳ１０８）。
【００４０】
ステップＳ１０４で、相手先端末からのＣＥＤ信号が検出されないまま、ステップＳ１０５で、一定時間が経過すると、ファクシミリ装置１は、ファクシミリ送信のための処理（発呼動作処理等）を終了し（ステップＳ１０９）、相手先端末とファクシミリ通信を行うことができず、相手先端末がファクシミリ装置であるか否かが分からないので、「ファクシミリ通信否」のフラグを画像メモリ９に蓄積するファクシミリ送信原稿のファイルに付加し、ファクシミリ通信を終了する（ステップＳ１１０）。
【００４１】
そして、ファクシミリ装置１は、上記ファクシミリ送信動作処理を行った結果、ファクシミリ送信を正常に終了することができず、再送信を行う場合の再送信処理について、図３及び図４に基づいて説明する。
【００４２】
ファクシミリ装置１は、まず、図３に示すように、画像メモリ９にファクシミリ再送信を行うファイルがあるかチェックして（ステップＳ２０１）、画像メモリ９にファクシミリ再送信を行うファクシミリ送信原稿のファイルがあると、そのファイルのファクシミリ通信可否のフラグを確認する（ステップＳ２０２）。
【００４３】
ステップＳ２０２で、ファクシミリ通信フラグが「ファクシミリ通信可」であると、ファクシミリ装置１は、ファクシミリ送信のための処理を開始するために、通信制御部７、ＮＣＵ部８を用いて接続する網に対して回線を閉結して、相手先ファクシミリ番号をＤＴＭＦ信号やダイヤルパルスによって発呼し、その後、ＣＮＧ信号を送出する（ステップＳ２０３）。
【００４４】
ファクシミリ装置１は、ＣＮＧ信号を送出しながら、相手先端末からＣＥＤ信号が送られてくるかを一定時間検出し（ステップＳ２０４、Ｓ２０５）、一定時間内に相手先端末からＣＥＤ信号が送られてくると、ＣＥＤ信号に続くファクシミリ通信手順処理を実行して、ファクシミリ通信を実施する（ステップＳ２０６）。
【００４５】
その後、ファクシミリ装置１は、ファクシミリ通信が正常終了したかチェックし（ステップＳ２０７）、正常終了すると、ファクシミリ通信処理を終了する。
【００４６】
ステップＳ2０７で、ファクシミリ通信が正常終了しないときには、ファクシミリ装置１は、相手先端末とファクシミリ通信は行えたが、何らかの異常（例えば、電話線が抜けたり、メモリが一杯になった等の異常）でファクシミリ通信が正常終了しなかっただけであるため、相手先端末はファクシミリ装置であるという「ファクシミリ通信可」のフラグを画像メモリ９に蓄積するファクシミリ送信原稿のファイルに付加し、ファクシミリ通信を終了する（ステップＳ２０８）。
【００４７】
ステップＳ２０４で、相手先端末からのＣＥＤ信号が検出されないまま、ステップＳ２０５で、一定時間経過すると、ファクシミリ装置１は、ファクシミリ送信のための処理（発呼動作処理等）を終了し（ステップＳ２０９）、相手先端末とファクシミリ通信を行うことができず、相手端末がファクシミリ装置であるか否かが分からないので、「ファクシミリ通信否」のフラグを画像メモリ９に蓄積するファクシミリ送信原稿のファイルに付加し、ファクシミリ通信処理を終了する（ステップＳ２１０）。
【００４８】
そして、ステップＳ２０２で、ファクシミリ通信可否フラグが「ファクシミリ通信否」であると、ファクシミリ装置１は、図４に示すように、ファクシミリ送信のための処理を開始するために、通信制御部７、ＮＣＵ部８を用いて接続する網に対して回線を閉結して相手先ファクシミリ番号をＤＴＭＦ信号やダイヤルパルスにて発呼し、その後、ＣＮＧ信号を送出するとともに、音声応答部１１の音声メッセージを当該相手先に送出する（ステップＳ２１１）。この音声メッセージとしては、例えば、「電話にかけている場合は、ファクシミリ番号を入力して下さい。」等のように、相手先端末の利用者にファクシミリ番号の入力を依頼する内容の音声メッセージであり、これら音声メッセージは、予めファクシミリ装置１の音声応答部１１内のメモリや画像メモリ９等に登録されているものだけでなく、ファクシミリ装置１の利用者（主に管理者）が任意に登録することもできる。
【００４９】
ファクシミリ装置１は、その後、ＣＮＧ信号、音声メッセージを送出しながら、相手先端末からの信号を一定時間検出する（ステップＳ２１２、Ｓ２１３）。
【００５０】
ステップＳ２１２で、一定時間内に相手先端末からＣＥＤ信号が送られてくると、ファクシミリ装置１は、図３のステップＳ２０６に移行して、ＣＥＤ信号に続くファクシミリ通信手順処理を実行して、ファクシミリ通信を実施する（ステップＳ２０６）。
【００５１】
その後、ファクシミリ装置１は、ファクシミリ通信が正常終了したかチェックし（ステップＳ２０７）、正常終了すると、ファクシミリ通信処理を終了する。
【００５２】
ステップＳ2０７で、ファクシミリ通信が正常終了しないときには、ファクシミリ装置１は、相手先端末とファクシミリ通信は行えたが、何らかの異常（例えば、電話線が抜けたり、メモリが一杯になった等の異常）でファクシミリ通信が正常終了しなかっただけであるため、相手先端末はファクシミリ装置であるという「ファクシミリ通信可」のフラグを画像メモリ９に蓄積するファクシミリ送信原稿のファイルに付加し、ファクシミリ通信を終了する（ステップＳ２０８）。
【００５３】
ステップＳ２１２で、一定時間内に相手先端末からＤＴＭＦ信号が送られてきたときには、ファクシミリ装置１は、ファクシミリ送信のための処理（発呼動作処理等）を終了し（ステップＳ２１４）、画像メモリ９に蓄積している当該ファクシミリ送信処理にかかるファクシミリ送信原稿のファイルに付加されているファクシミリ番号を、当該相手先からＤＴＭＦ信号で送られてきたファクシミリ番号に変更し（ステップＳ２１５）、ファクシミリ通信可否のフラグを、「ファクシミリ通信否」のままにして処理を終了する（ステップＳ２１６）。この処理で、最初のファクシミリ送信時に間違えて入力されたファクシミリ番号を修正することができる。
【００５４】
ステップＳ２１２で、相手先端末からＣＥＤ信号もＤＴＭＦ信号も送られてこないまま、ステップＳ２１３で、一定時間が経過すると、ファクシミリ装置１は、ファクシミリ送信のための処理（発呼動作処理等）を終了し（ステップＳ２１７）、相手先端末とファクシミリ通信を行うことができず、相手端末がファクシミリ装置であるか否かが分からないので、「ファクシミリ通信否」のフラグを画像メモリ９に蓄積するファクシミリ送信原稿のファイルに付加し、ファクシミリ通信処理を終了する（ステップＳ２１８）。
【００５５】
このように、本実施例のファクシミリ装置１は、ファクシミリ送信が不達に終了した後の当該相手先端末への自動再送信機能による再送信動作において、音声応答部１１から相手先端末にファクシミリ番号の入力を依頼する旨の音声メッセージを送出し、当該相手先端末からＤＴＭＦ信号を受信すると、当該再送信動作を一旦終了した後、当該ＤＴＭＦ信号で指定されているファクシミリ番号宛に再送信処理を行っている。
【００５６】
したがって、操作部２から誤ったファクシミリ番号が入力された場合にも再送信動作において、正確なファクシミリ番号先に自動変更して、再送信を行うことができ、相手先側の手間を省きつつ、相手先に与える迷惑を削減することができるとともに、利用性を向上させることができる。
【００５７】
なお、上記実施例において、ファクシミリ装置１は、ＤＴＭＦ信号で受信したファクシミリ番号を書込部１２で用紙にレポートとして記録出力したり、表示・通知部３に表示出力したりして、通知するようにしてもよい。
【００５８】
このようにすると、最初に操作した番号が間違っていたこと、正しいファクシミリ番号の内容を速やかに分かるようにすることができる。
【実施例２】
【００５９】
図５及び図６は、本発明のファクシミリ装置の第２実施例を適用したファクシミリ装置による再送信制御処理を示すフローチャートである。
【００６０】
なお、本実施例は、上記第１実施例のファクシミリ装置１と同様のファクシミリ装置に適用したものであり、本実施例の説明においては、上記第１実施例で用いた符号をそのまま用いて説明するとともに、図５及び図６において、同様の処理ステップについては、同一のステップナンバーを付して、その詳細な説明を省略する。
【００６１】
本実施例のファクシミリ装置１は、図２に示したように、最初にファクシミリ送信動作処理を行って、そのファクシミリ送信処理において、相手先端末からＣＥＤ信号を受信しないときには、相手先端末がファクシミリ装置であるか否かが分からないので、「ファクシミリ通信否」のフラグを画像メモリ９に蓄積するファクシミリ送信原稿のファイルに付加し、ファクシミリ通信を終了し、その後、図５及び図６に示すように、再送信処理を開始する。
【００６２】
ファクシミリ装置１は、この再送信処理において、図６に示す処理は、図３に示した処理と同様であり、画像メモリ９にファクシミリ再送信を行うファイルがあると（ステップＳ２０１）、そのファイルのファクシミリ通信可否のフラグを確認して（ステップＳ２０２）、ファクシミリ通信フラグが「ファクシミリ通信可」であると、ファクシミリ送信のための処理を開始するために、通信制御部７、ＮＣＵ部８を用いて接続する網に対して回線を閉結して、相手先ファクシミリ番号をＤＴＭＦ信号やダイヤルパルスによって発呼し、その後、ＣＮＧ信号を送出する（ステップＳ２０３）。
【００６３】
ファクシミリ装置１は、ＣＮＧ信号を送出しながら、相手先端末からＣＥＤ信号が送られてくるかを一定時間検出し（ステップＳ２０４、Ｓ２０５）、一定時間内に相手先端末からＣＥＤ信号が送られてくると、ＣＥＤ信号に続くファクシミリ通信手順処理を実行して、ファクシミリ通信を実施する（ステップＳ２０６）。
【００６４】
その後、ファクシミリ装置１は、ファクシミリ通信が正常終了すると（ステップＳ２０７）、ファクシミリ通信処理を終了し、ファクシミリ通信が正常終了しないときには、相手先端末とファクシミリ通信は行えたが、何らかの異常でファクシミリ通信が正常終了しなかっただけであるため、相手先端末はファクシミリ装置であるという「ファクシミリ通信可」のフラグを画像メモリ９に蓄積するファクシミリ送信原稿のファイルに付加して、ファクシミリ通信を終了する（ステップＳ２０８）。
【００６５】
ステップＳ２０４で、相手先端末からのＣＥＤ信号が検出されないまま、ステップＳ２０５で、一定時間経過すると、ファクシミリ装置１は、ファクシミリ送信のための処理（発呼動作処理等）を終了し（ステップＳ２０９）、相手先端末とファクシミリ通信を行うことができず、相手端末がファクシミリ装置であるか否かが分からないので、「ファクシミリ通信否」のフラグを画像メモリ９に蓄積するファクシミリ送信原稿のファイルに付加し、ファクシミリ通信処理を終了する（ステップＳ２１０）。
【００６６】
そして、ステップＳ２０２で、ファクシミリ通信可否フラグがファクシミリ通信否であると、ファクシミリ装置１は、図６に示すように、ファクシミリ送信のための処理を開始するために、通信制御部７、ＮＣＵ部８を用いて接続する網に対して回線を閉結して相手先ファクシミリ番号をＤＴＭＦ信号やダイヤルパルスにて発呼し、その後、ＣＮＧ信号を送出するとともに、音声応答部１１の例えば、「電話にかけている場合は、ファクシミリ番号を入力して下さい。」等の音声メッセージを当該相手先に送出する（ステップＳ２１１）。
【００６７】
ファクシミリ装置１は、その後、ＣＮＧ信号、音声メッセージを送出しながら、相手先端末からの信号を一定時間検出し（ステップＳ２１２、Ｓ２１３）、相手先端末からＣＥＤ信号もＤＴＭＦ信号も送られてこないまま、ステップＳ２１３で、一定時間が経過すると、ファクシミリ装置１は、ファクシミリ送信のための処理（発呼動作処理等）を終了して（ステップＳ２１７）、相手先端末とファクシミリ通信を行うことができず、相手端末がファクシミリ装置であるか否かが分からないので、「ファクシミリ通信否」のフラグを画像メモリ９に蓄積するファクシミリ送信原稿のファイルに付加し、ファクシミリ通信処理を終了する（ステップＳ２１８）。
【００６８】
そして、ステップＳ２１２で、一定時間内に相手先端末からＣＥＤ信号が送られてくると、ファクシミリ装置１は、図５のステップＳ２０６に移行して、ＣＥＤ信号に続くファクシミリ通信手順処理を実行して、ファクシミリ通信を実施する（ステップＳ２０６）。その後、ファクシミリ装置１は、ファクシミリ通信が正常終了したかチェックし（ステップＳ２０７）、正常終了すると、ファクシミリ通信処理を終了する。
【００６９】
ステップＳ２１２で、一定時間内に相手先端末からＤＴＭＦ信号が送られてきたときには、ファクシミリ装置１は、ファクシミリ送信のための処理（発呼動作処理等）を終了し（ステップＳ３０１）、相手先端末から送られてきたＤＴＭＦ信号がファクシミリ番号として有効か否かを判別する（ステップＳ３０２）。
【００７０】
このＤＴＭＦ信号がファクシミリ番号として有効か否かの判別は、例えば、ＤＴＭＦ信号で送られてきたファクシミリ番号の桁数が、番号として有効な桁数か否かによる判断、元のファクシミリ番号と比較して下４桁だけの違いであってその他は一致するか否かによる判断等の方法を用いる。具体的には、ファクシミリ番号の桁数が番号として有効か否かによる判断では、ＤＴＭＦ信号で送られてきたファクシミリ番号が、「０３１２３４５６７８」の場合には、番号として有効であると判断し、ＤＴＭＦ信号で送られてきたファクシミリ番号が、「２３４」の場合には、番号として無効であると判断する。また、最初にファクシミリ番号として発呼したがファクシミリ番号ではなかった元のファクシミリ番号が、「０３１２３４５６７８」の場合、ＤＴＭＦ信号で送られてきたファクシミリ番号が、「０３１２３４５６７０」であると、局番までが一致しているので、ファクシミリ番号として有効であると判断し、ＤＴＭＦ信号で送られてきたファクシミリ番号が、「０３４３２１５６７８」であると、局番が異なるので、ファクシミリ番号として、無効であると判断する。
【００７１】
そして、ステップＳ３０２で、相手先端末からＤＴＭＦ信号で送られてきた番号がファクシミリ番号として有効である場合には、ファクシミリ装置１は、画像メモリ９に蓄積する当該ファクシミリ送信処理にかかるファクシミリ送信原稿のファイルに付加されているファクシミリ番号をＤＴＭＦ信号で送られてきたファクシミリ番号に変更し（ステップＳ３０３）、ファクシミリ通信可否のフラグは、「ファクシミリ通信否」のままにして処理を終了する（ステップＳ３０４）。
【００７２】
したがって、間違えたファクシミリ番号を相手先端末からのＤＴＭＦ信号に基づいて修正し、次のファクシミリ再送信動作で当該変更後のファクシミリ番号宛にファクシミリ送信することができる。
【００７３】
そして、ステップＳ３０２で、相手先端末からＤＴＭＦ信号がファクシミリ番号として無効である場合には、ファクシミリ装置１は、相手先端末は電話であるので、今後、ファクシミリ再送信を行わないフラグである「ファクシミリ再送心停止」のフラグを画像メモリ９に蓄積するファクシミリ送信原稿のファイルに付加し（ステップＳ３０５）、その旨のエラーレポートを書込部１１からプロットアウトまたは表示・通知部３にその旨のエラー表示を行って、処理を終了する（ステップＳ３０６）。
【００７４】
この場合、ファクシミリ送信を停止する場合のＤＴＭＦ信号を音声メッセージに含ませると、検出したＤＴＭＦ信号がファクシミリ番号として無効であるか、停止することを要求するＤＴＭＦ信号である場合には、ファクシミリ再送信を停止することができる。
【００７５】
このように、本実施例のファクシミリ装置１は、相手先端末から送られてきたＤＴＭＦ信号による番号がファクシミリ番号として有効か否かを判別し、ファクシミリ番号として有効である場合にのみ、当該ＤＴＭＦ信号で指定されているファクシミリ番号宛に再送信処理を行っている。
【００７６】
したがって、相手先端末の利用者の操作間違い等によるさらなる誤再送信動作を防止して、より一層正確なファクシミリ番号先に自動変更して、再送信を行うことができ、相手先側の手間を省きつつ、相手先に与える迷惑をより一層削減することができるとともに、より一層利用性を向上させることができる。
【００７７】
なお、上記実施例において、ファクシミリ装置１は、ＤＴＭＦ信号で受信したファクシミリ番号を書込部１２で用紙にレポートとして記録出力したり、表示・通知部３に表示出力したりして、通知するようにしてもよい。
【００７８】
このようにすると、最初に操作した番号が間違っていたこと、正しいファクシミリ番号の内容を速やかに分かるようにすることができる。
【実施例３】
【００７９】
図７及び図８は、本発明のファクシミリ装置の第３実施例を適用したファクシミリ装置による再送信制御処理を示すフローチャートである。
【００８０】
なお、本実施例は、上記第１実施例のファクシミリ装置１と同様のファクシミリ装置に適用したものであり、本実施例の説明においては、上記第１実施例で用いた符号をそのまま用いて説明するとともに、図７及び図８において、同様の処理ステップについては、同一のステップナンバーを付して、その詳細な説明を省略する。
【００８１】
本実施例のファクシミリ装置１は、図２に示したように、最初にファクシミリ送信動作処理を行って、そのファクシミリ送信処理において、相手先端末からＣＥＤ信号を受信しないときには、相手先端末がファクシミリ装置であるか否かが分からないので、「ファクシミリ通信否」のフラグを画像メモリ９に蓄積するファクシミリ送信原稿のファイルに付加し、ファクシミリ通信を終了し、その後、図７及び図８に示すように、再送信処理を開始する。
【００８２】
ファクシミリ装置１は、この再送信処理において、図７に示す処理は、図３に示した処理と同様であり、画像メモリ９にファクシミリ再送信を行うファイルがあると（ステップＳ２０１）、そのファイルのファクシミリ通信可否のフラグを確認して（ステップＳ２０２）、ファクシミリ通信フラグが「ファクシミリ通信可」であると、ファクシミリ送信のための処理を開始するために、通信制御部７、ＮＣＵ部８を用いて接続する網に対して回線を閉結して、相手先ファクシミリ番号をＤＴＭＦ信号やダイヤルパルスによって発呼し、その後、ＣＮＧ信号を送出する（ステップＳ２０３）。
【００８３】
ファクシミリ装置１は、ＣＮＧ信号を送出しながら、相手先端末からＣＥＤ信号が送られてくるかを一定時間検出し（ステップＳ２０４、Ｓ２０５）、一定時間内に相手先端末からＣＥＤ信号が送られてくると、ＣＥＤ信号に続くファクシミリ通信手順処理を実行して、ファクシミリ通信を実施する（ステップＳ２０６）。
【００８４】
その後、ファクシミリ装置１は、ファクシミリ通信が正常終了すると（ステップＳ２０７）、ファクシミリ通信処理を終了し、ファクシミリ通信が正常終了しないときには、相手先端末とファクシミリ通信は行えたが、何らかの異常でファクシミリ通信が正常終了しなかっただけであるため、相手先端末はファクシミリ装置であるという「ファクシミリ通信可」のフラグを画像メモリ９に蓄積するファクシミリ送信原稿のファイルに付加して、ファクシミリ通信を終了する（ステップＳ２０８）。
【００８５】
ステップＳ２０４で、相手先端末からのＣＥＤ信号が検出されないまま、ステップＳ２０５で、一定時間経過すると、ファクシミリ装置１は、ファクシミリ送信のための処理（発呼動作処理等）を終了し（ステップＳ２０９）、相手先端末とファクシミリ通信を行うことができず、相手端末がファクシミリ装置であるか否かが分からないので、「ファクシミリ通信否」のフラグを画像メモリ９に蓄積するファクシミリ送信原稿のファイルに付加し、ファクシミリ通信処理を終了する（ステップＳ２１０）。
【００８６】
そして、ステップＳ２０２で、ファクシミリ通信可否フラグがファクシミリ通信否であると、ファクシミリ装置１は、図８に示すように、ファクシミリ送信のための処理を開始するために、通信制御部７、ＮＣＵ部８を用いて接続する網に対して回線を閉結して相手先ファクシミリ番号をＤＴＭＦ信号やダイヤルパルスにて発呼し、その後、ＣＮＧ信号を送出するとともに、音声応答部１１の例えば、「電話にかけている場合は、ファクシミリ番号を入力して下さい。」等の音声メッセージを当該相手先に送出する（ステップＳ２１１）。
【００８７】
ファクシミリ装置１は、その後、ＣＮＧ信号、音声メッセージを送出しながら、相手先端末からの信号を一定時間検出し（ステップＳ２１２、Ｓ２１３）、相手先端末からＣＥＤ信号もＤＴＭＦ信号も送られてこないまま、ステップＳ２１３で、一定時間が経過すると、ファクシミリ装置１は、ファクシミリ送信のための処理（発呼動作処理等）を終了して（ステップＳ２１７）、相手先端末とファクシミリ通信を行うことができず、相手端末がファクシミリ装置であるか否かが分からないので、「ファクシミリ通信否」のフラグを画像メモリ９に蓄積するファクシミリ送信原稿のファイルに付加し、ファクシミリ通信処理を終了する（ステップＳ２１８）。
【００８８】
そして、ステップＳ２１２で、一定時間内に相手先端末からＣＥＤ信号が送られてくると、ファクシミリ装置１は、図７のステップＳ２０６に移行して、ＣＥＤ信号に続くファクシミリ通信手順処理を実行して、ファクシミリ通信を実施する（ステップＳ２０６）。その後、ファクシミリ装置１は、ファクシミリ通信が正常終了したかチェックし（ステップＳ２０７）、正常終了すると、ファクシミリ通信処理を終了する。
【００８９】
図８のステップＳ２１２で、一定時間内に相手先端末からＤＴＭＦ信号が送られてきたときには、ファクシミリ装置１は、ファクシミリ送信のための処理（発呼動作処理等）を終了し（ステップＳ４０１）、ファクシミリ再送信を今後行わないために、「ファクシミリ再送信停止」のフラグを画像メモリ９に蓄積するファクシミリ送信原稿ファイルに付加する（ステップＳ４０２）。
【００９０】
ファクシミリ装置１は、再送信停止のフラグを立てると、その旨のエラーレポートを書込部１１からプロットアウトして、ファクシミリ送信者に通知し、または、表示・通知部３にその旨のエラー表示を行って、ファクシミリ送信者に通知して、処理を終了する（ステップＳ４０３）。
【００９１】
このように、本実施例のファクシミリ装置１は、相手先端末から送られてきたＤＴＭＦ信号による番号を、レポートとして用紙に記録出力したり、表示出力する。
【００９２】
したがって、間違ったファクシミリ番号と相手先から送られてきたファクシミリ番号を比較して、ファクシミリ番号を容易に確認することができ、より一層誤再送信を防止することができる。
【００９３】
この場合、相手先からＤＴＭＦ信号で送られてきたファクシミリ番号を比較した結果相手先から送られてきたファクシミリ番号が正しい場合には、再送信ボタン等の押下のみで、当該ＤＴＭＦ信号で送られてきたファクシミリ番号宛に再送信するようにしてもよい。
【００９４】
このようにすると、再送信操作の手間を省くことができ、利用性を向上させることができる。
【００９５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９６】
電話機等に発呼して、ファクシミリ送信に失敗した場合の再送信機能を備えたファクシミリ装置に適用することができる。
【図面の簡単な説明】
【００９７】
【図１】本発明のファクシミリ装置の第１実施例を適用したファクシミリ装置のブロック構成図。
【図２】図１のファクシミリ装置による最初の送信処理を示すフローチャート。
【図３】図１のファクシミリ装置による再送信制御処理を示すフローチャート。
【図４】図３の再送信制御処理の続きの処理を示すフローチャート。
【図５】本発明のファクシミリ装置の第２実施例を適用したファクシミリ装置による再送信制御処理を示すフローチャート。
【図６】図５の再送信制御処理の続きの処理を示すフローチャート。
【図７】本発明のファクシミリ装置の第３実施例を適用したファクシミリ装置による再送信制御処理を示すフローチャート。
【図８】図７の再送信制御処理の続きの処理を示すフローチャート。
【符号の説明】
【００９８】
１  ファクシミリ装置
２  操作部
３  表示・通知部
４  システム制御部
５  画像処理部
６  読取部
７  通信制御部
８  ＮＣＵ部
９  画像メモリ
１０  Ｇ４通信制御部
１１  音声応答部
１２  書込部
１３  システムバス
【図１】
2006217414.tif 000003
【図２】
2006217414.tif 000004
【図３】
2006217414.tif 000005
【図４】
2006217414.tif 000006
【図５】
2006217414.tif 000007
【図６】
2006217414.tif 000008
【図７】
2006217414.tif 000009
【図８】
2006217414.tif 000010